(57)【要約】【課題】省エネ計算における非空調コア部の外周の長さを用意する作業に要する労力を軽減する判定装置、判定方法及びコンピュータプログラムを提供すること。【解決手段】建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得部と、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得部と、前記各階の部分外周線の空調に関する属性を示す情報に基づいて、前記投影部分外周線における空調に関する属性を判定する判定部と、を備える判定装置である。【選択図】図１
2019175348.tif 000002
【特許請求の範囲】
【請求項１】
建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得部と、
前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得部と、
前記各階の部分外周線の空調に関する属性を示す情報に基づいて、前記投影部分外周線における空調に関する属性を判定する判定部と、
を備える判定装置。
【請求項２】
前記判定部は、前記投影部分外周線の空調に関する属性を示す情報が、地上階から最上階までの前記平面図上の前記投影部分外周線と一致する位置に少なくともひとつの前記部分外周線があり、平面図上における位置が前記投影部分外周線と同じ位置である前記部分外周線の一部に接する前記建築物の空間の全てが非空調の空間であって、かつ、平面図上における位置が前記投影部分外周線と同じ位置の空間のうち、前記部分外周線がない空間の全てが前記建築物の外の空間であることを示す場合に、前記投影部分外周線を非空調コア部の外周の一部であると判定する、
請求項１に記載の判定装置。
【請求項３】
前記投影情報取得部が取得した前記投影部分外周線の位置を示す情報と、前記判定部が非空調コア部の外周の一部であると判定した前記投影部分外周線を示す情報とに基づいて、前記建築物の非空調コア部の外周の長さを算出する非空調コア部外周長算出部、
をさらに備える、
請求項２に記載の判定装置。
【請求項４】
建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得ステップと、
前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得ステップと、
前記各階の部分外周線の空調に関する属性を示す情報に基づいて、前記投影部分外周線における空調に関する属性を判定する判定ステップと、
を有する判定方法。
【請求項５】
コンピュータに、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得させ、
前記コンピュータに、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得させ、
前記コンピュータに、前記各階の部分外周線の空調に関する属性を示す情報に基づいて、前記投影部分外周線における空調に関する属性を判定させる、
コンピュータプログラム。
【発明の詳細な説明】
【技術分野】
【０００１】
本発明は、判定装置、判定方法及びコンピュータプログラムに関する。
【背景技術】
【０００２】
従来、新築、増改築などを行おうとする建築主は、エネルギーの使用の合理化等に関する法律（以下「省エネ法」という。；非特許文献１）に基づいた建築物のエネルギー消費量を算出し、その結果を提出する必要がある。建築物のエネルギー消費量の算出には、国立研究開発法人建築研究所が提供する「エネルギー消費性能計算プログラム（住宅版）」（非特許文献２）や、「住宅・住戸の外皮性能の計算プログラム」（非特許文献３）等（以下これら建築研究所の提供するプログラムを「建研プログラム」という。）を利用する。建築主は、建研プログラムに所定の建築物のデータを入力して、エネルギー消費性能（以下「建築物省エネ性能」という。）を計算することで、建築予定の建築物が、省エネ法に定めるエネルギー消費性能（以下「省エネ基準」という。）を満たすことを確認する必要がある。上記計算で必要となる建築物のデータは、建築物の壁の方位や、建築物の壁の部位の種類や、空調の有無や、部屋の面積や、部屋の外周の長さ等数多くのデータであり、建築物の設計図から算出される数値データも数多く含む。
【先行技術文献】
【非特許文献】
【０００３】
【非特許文献１】エネルギーの使用の合理化等に関する法律
【非特許文献２】国立研究開発法人建築研究所  [平成３０年３月２９日検索]、インターネット＜ＵＲＬ：http://house.app.lowenergy.jp/＞
【非特許文献３】国立研究開発法人建築研究所  [平成３０年３月２９日検索]、インターネット＜ＵＲＬ：http://envelope.app.lowenergy.jp/＞
【発明の概要】
【発明が解決しようとする課題】
【０００４】
上記計算で必要となる建築物のデータのひとつに、非空調コア部の外周の長さがある。非空調コア部の外周の長さを算出するためには、建築主は、建築物の非空調コア部を知る必要があった。建築主は非空調コア部を知るために、建築物の各階層のデータを見比べ、全ての階層で非空調である空間がどこかを判定する必要があった。このような作業に要する労力は、建築物の大きさや、建築物の形状の複雑さや、建築物に配置された非空調である空間の配置の複雑さなどに応じて増大する。また、このような作業に要する労力は、ピロティや、セットバックを有する建築物の場合、さらに増大する。
【０００５】
このような省エネ基準の判断において必要となる非空調コア部の長さの情報のように、建築物に関して定められた所定の基準の判断において必要となる種々の数値がある。これらの多くは、非空調コア部の長さの情報と同様に、その値を得るために多大な労力を要していた。
【０００６】
上記事情に鑑み、本発明は、建築物に関して定められた所定の基準の判断において必要となる数値を用意する作業に要する労力を軽減することを目的としている。
【課題を解決するための手段】
【０００７】
本発明の一態様は、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得部と、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得部と、前記各階の部分外周線の空調に関する属性を示す情報に基づいて、前記投影部分外周線における空調に関する属性を判定する判定部と、を備える判定装置である。
【０００８】
本発明の一態様は、上記の判定装置であって、前記判定部は、前記投影部分外周線の空調に関する属性を示す情報が、地上階から最上階までの前記平面図上の前記投影部分外周線と一致する位置に少なくともひとつの前記部分外周線があり、平面図上における位置が前記投影部分外周線と同じ位置である前記部分外周線の一部に接する前記建築物の空間の全てが非空調の空間であって、かつ、平面図上における位置が前記投影部分外周線と同じ位置の空間のうち、前記部分外周線がない空間の全てが前記建築物の外側の空間であることを示す場合に、前記投影部分外周線を非空調コア部の外周の一部であると判定する。
【０００９】
本発明の一態様は、上記の判定装置であって、前記投影情報取得部が取得した前記投影部分外周線の位置を示す情報と、前記判定部が非空調コア部の外周の一部であると判定した前記投影部分外周線を示す情報とに基づいて、前記建築物の非空調コア部の外周の長さを算出する非空調コア部外周長算出部をさらに備える。
【００１０】
本発明の一態様は、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得ステップと、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得ステップと、前記各階の部分外周線の空調に関する属性を示す情報に基づいて、前記投影部分外周線における空調に関する属性を判定する判定ステップと、を有する判定方法である。
【００１１】
本発明の一態様は、コンピュータに、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得させ、前記コンピュータに、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得させ、前記コンピュータに、前記各階の部分外周線の空調に関する属性を示す情報に基づいて、前記投影部分外周線における空調に関する属性を判定させる、コンピュータプログラムである。
【発明の効果】
【００１２】
本発明により、建築物に関して定められた所定の基準の判断において必要となる数値を用意する作業に要する労力を軽減する判定装置、判定方法及びコンピュータプログラムを提供することが可能である。
【図面の簡単な説明】
【００１３】
【図１】実施形態における判定装置１の構成例を示す図。
【図２】実施形態における建築物９の１階の平面図の具体例を示す図。
【図３】実施形態における建築物９の２階の平面図の具体例を示す図。
【図４】実施形態における建築物９の３階の平面図の具体例を示す図。
【図５】実施形態における投影点及び単位線を説明する説明図。
【図６】実施形態におけるエリア情報の具体例を示す図。
【図７】実施形態における部分外周線情報の具体例を示す図。
【図８】実施形態における単位線情報の具体例を示す図。
【図９】実施形態における単位線情報取得処理の具体的な処理の流れを示すフローチャート。
【図１０】実施形態における非空調単位線判定処理の具体的な処理の流れを示すフローチャート。
【図１１】実施形態における表示部１７の表示の具体例を示す図。
【発明を実施するための形態】
【００１４】
以下、図面を参照して、本発明の実施の形態について説明する。なお、以下では、建築物に関して定められた所定の基準の具体例として省エネ基準を用いて説明を行う。また、以下では、省エネ基準の判断において必要となる種々の数値の具体例として非空調コア部の外周の長さを用いて説明を行う。
【００１５】
図１は、実施形態における判定装置１の構成例を示す図である。判定装置１は、建築物の非空調コア部の外周の長さを算出する。
非空調コア部とは、一般に、建築物の地上階から最上階（塔屋階は除く）までの平面図上で同一位置にある空間について、少なくとも一か所は非空調の空間を含むという条件を含んだ所定の条件を満たす建築物内の空間である。非空調の空間とは、人間の快適性の向上目的や生産・管理・貯蔵といったものを扱う目的で、ある場所の空気の温度や湿度、清浄度、気流などを調整するために、調整した空気を供給されている室以外の室である。非空調の空間は、例えば、空調設備が設置されていない空間である。
【００１６】
図２〜図４は、建築物の平面図の具体例を示す図である。図２〜図４は、同一の建築物（以下「建築物９」という。）の１階から３階までの平面図を示す。
【００１７】
図２は、実施形態における建築物９の１階の平面図の具体例を示す図である。図２において、エリア１及び２は非空調の空間であって、エリア３は空調の空間である。空調の空間とは、人間の快適性の向上目的や生産・管理・貯蔵といったものを扱う目的で、ある場所の空気の温度や湿度、清浄度、気流などを調整するために、調整した空気を供給されている室である。空調の空間は、例えば、壁等の仕切りで区切られた空間であって、空調設備が設置されている空間である。図２において太線部分は、非空調コア部の外周である。図２において、エリア１は、点Ａ１、点Ａ２、点Ａ３及び点Ａ４によって囲まれる空間である。点Ａ１は、Ｘ座標の座標値がＸ１０１、Ｙ座標の座標値がＹ１０１の点である。点Ａ２は、Ｘ座標の座標値がＸ１０１、Ｙ座標の座標値がＹ１０２の点である。点Ａ３は、Ｘ座標の座標値がＸ１０２、Ｙ座標の座標値がＹ１０２の点である。点Ａ４は、Ｘ座標の座標値がＸ１０２、Ｙ座標の座標値がＹ１０１の点である。
【００１８】
図３は、実施形態における建築物９の２階の平面図の具体例を示す図である。図３において、エリア４、６及び７は非空調の空間であって、エリア５は空調の空間である。図３において太線部分は、非空調コア部の外周である。
【００１９】
図４は、実施形態における建築物９の３階の平面図の具体例を示す図である。図４において、エリア８、１０及び１１は非空調の空間であって、エリア９は空調の空間である。図４において太線部分は、非空調コア部の外周である。
【００２０】
図１の説明に戻る。判定装置１は、パーソナルコンピュータやサーバ等の情報処理装置を用いて構成される。判定装置１は、バスで接続されたＣＰＵ（Central Processing Unit）やメモリや補助記憶装置などを備え、プログラムを実行する。判定装置１は、プログラムの実行によって入力部１１、記憶部１２、情報取得部１３、単位線情報取得部１４、非空調コア部外周判定部１５、非空調コア部外周長算出部１６、表示部１７及び表示制御部１８を備える装置として機能する。
【００２１】
入力部１１は、マウスやキーボード、タッチパネル等の入力装置を含んで構成される。入力部１１は、これらの入力装置を自装置に接続するインタフェースとして構成されてもよい。入力部１１は、自装置に対するユーザの指示を受け付ける。入力部１１は、入力されたユーザの指示を表示制御部１８に出力し、設計図情報を記憶部１２に出力する。
【００２２】
記憶部１２は、磁気ハードディスク装置や半導体記憶装置などの記憶装置を用いて構成される。記憶部１２は設計図情報、部分外周線情報、単位線情報及び非空調単位線情報を記憶する。
【００２３】
設計図情報は、予め記憶部１２に記憶された情報であって、建築物の外周の位置を示す外周情報と、エリア情報とを含む。エリア情報は、建築物の各階のエリアの位置とエリアの空調に関する属性とを示す。エリア情報は、エリアの位置を示すエリア位置情報と、エリアの空調に関する属性を示すエリア空調属性情報とを含む。エリア空調属性情報は、エリアが空調の空間であるのか、非空調の空間であるのか、建築物の外側の空間であるのか、建築物の内側の空間であるのかを示す。エリアは、壁等の仕切りで区切られた建築物の空間である。具体的には、エリアは、部屋であってもよい。建築物の外側の空間とは、建築物の外周の外側の空間であって、外周に接していない空間である。建築物の内側の空間とは、建築物の外周の内側の空間であって、外周に接していない空間である。建築物の外周の位置及び各階のエリアの位置は、例えば、直交座標系の座標値によって表される。設計図情報は、例えば、入力部１１を介して、判定装置１に入力されてもよい。なお、建築物の外側の空間であるのか、建築物の内側の空間であるのか、を示す情報は、予めコンピュータによる所定の判定処理によって取得されてもよい。コンピュータによる所定の判定処理は、具体的には、平面図上で建築物の外周を多角形で近似した後、所望の空間内の点が多角形の内部であるか外部であるかということを判定（いわゆる内外判定）するコンピュータの処理である。以下、建築物の外側の空間であるのか、建築物の内側の空間であるのか、を示す情報を、内外判定の処理によって取得するコンピュータの処理を内外判定処理という。
【００２４】
部分外周線情報は、設計図情報に基づいて情報取得部１３によって取得される情報であって、建築物の各階の部分外周線の位置と部分外周線の空調に関する属性とを示す情報である。部分外周線は、外周が接する空間の空調に関する属性に応じて、１つ又は複数に区分された外周の線である。部分外周線は、場所によらず同じ空調に関する属性を有する外周上の線である。以下、外周を部分外周線に区分する点を区分点という。区分点は、部分外周線の両端の端点である。すなわち、部分外周線は、ひとつ又は複数の部分外周線の端点をつなぎ合わせると、建築物の外周に一致する線である。
部分外周線情報は、部分外周線位置情報と、部分外周線空調属性情報とを含む。部分外周線位置情報は、部分外周線の位置を示す情報である。部分外周線位置情報は、部分外周線の位置を示すことで、部分外周線の両端の位置も示す。部分外周線空調属性情報は、部分外周線の接する空間が空調の空間と、非空調の空間とのいずれであるかを示す情報である。
【００２５】
単位線情報は、単位線情報取得部１４による処理によって取得される情報であって、単位線の位置と単位線の空調に関する属性とを示す情報である。単位線は、同一の部分外周線グループに属する部分外周線の２つの投影点（以下「同一グループ投影点」という。）を両端の端点とする線であって、端点の間の線上には同一グループ投影点が存在しない線である。投影点は、同一の部分外周線グループに属する地上階から最上階までの部分外周線の端点の、同一の平面図上への投影先の点である。部分外周線の端点の投影先の点を両端とする線であるため、単位線は、部分外周線の一部又は全部の所定の平面図上への投影先の線である。
【００２６】
単位線情報は、単位線位置情報と、各階空調属性情報とを含む。単位線位置情報は、単位線の位置を単位線の両端の位置とともに示す情報である。単位線位置情報は、単位線の位置を単位線の両端の位置とともに示すことが可能な情報であれば、どのように単位線の位置を示す情報であってもよい。単位線位置情報は、例えば、単位線の両端（すなわち投影点）の位置を示すことで単位線の位置を示す情報であってもよい。また、単位線位置情報は、例えば、単位線の中心の位置と、長さと、単位線の向く方向とを示すことで、単位線の位置を示す情報であってもよい。各階空調属性情報は、単位線の空調に関する属性を示す情報である。具体的には、各階空調属性情報は、各階ごとに、単位線の投影元の位置における空間の空調に関する属性を示す。各階空調属性情報は、単位線の投影元の位置が部分外周線の一部又は全部であれば、部分外周線が接する空間が非空調の空間であるのか、空調の空間であるのかを示す。また、各階空調属性情報は、単位線の投影元の位置が部分外周線の一部又は全部でない場合には、建築物の外側の空間と、建築物の内側の空間とのいずれであるかを示す。建築物の内側の空間とは、建築物の内側とは、外周の内側の空間である。
【００２７】
図５によって、投影点及び単位線を説明する。
図５は、実施形態における投影点及び単位線を説明する説明図である。図５は、建築物の断面図における外周と、投影点とを示す。図５において、点Ｐ１〜点Ｐ１２は部分外周線の端点である。図５において、点Ｐ１と点Ｐ２とを結ぶ線分と、点Ｐ２と点Ｐ３とを結ぶ線分と、点Ｐ３と点Ｐ４とを結ぶ線分とは、それぞれ建築物の３階の部分外周線である。図５において、点Ｐ５と点Ｐ６とを結ぶ線分と、点Ｐ６と点Ｐ７とを結ぶ線分と、点Ｐ７と点Ｐ８とを結ぶ線分とは、それぞれ建築物の２階の部分外周線である。図５において、点Ｐ９と点Ｐ１０とを結ぶ線分と、点Ｐ１０と点Ｐ１１とを結ぶ線分と、点Ｐ１１と点Ｐ１２とを結ぶ線分とは、それぞれ建築物の１階の部分外周線である。なお、点Ｐ１０と点Ｐ１１との間は、一般にピロティと言われる空間であり、建築物の外側の空間である。点Ｐ１〜点Ｐ４は同一平面上にある。点Ｐ５〜点Ｐ８は同一平面上にある。点Ｐ９〜点Ｐ１２は同一平面上にある。点Ｐ１〜点Ｐ４は、点Ｐ５〜点Ｐ１２とは、異なる平面上にある。点Ｐ５〜点Ｐ８は、点Ｐ１〜点Ｐ４と、点９〜点１２とは異なる平面上にある。点Ｐ９〜点Ｐ１２は、点Ｐ１〜点Ｐ８とは異なる平面上にある。
【００２８】
投影点は、建築物の床に平行な所定の面への、部分外周線の端点の投影先である。投影点ｐ１は、点Ｐ９の投影先の点である。投影点ｐ２は、点Ｐ１及び点Ｐ５の投影先の点である。点ｐ３は、点Ｐ２の投影先の点である。投影点ｐ４は、点Ｐ６及び点Ｐ１０の投影先の点である。投影点ｐ５は、点Ｐ３及び点Ｐ１１の投影先の点である。投影点ｐ６は、点Ｐ７の投影先の点である。投影点ｐ７は、点Ｐ４及び点Ｐ８の投影先の点である。投影点ｐ８は、点Ｐ１２の投影先の点である。
【００２９】
投影点ｐ１と投影点ｐ２とを端点とする線分は、端点を除いて、線分上に投影点が存在しないため単位線である。投影点ｐ２と投影点ｐ３とを端点とする線分は、端点を除いて、線分上に投影点が存在しないため単位線である。投影点ｐ３と投影点ｐ４とを端点とする線分は、端点を除いて、線分上に投影点が存在しないため単位線である。投影点ｐ４と投影点ｐ５とを端点とする線分は、端点を除いて、線分上に投影点が存在しないため単位線である。投影点ｐ５と投影点ｐ６とを端点とする線分は、端点を除いて、線分上に投影点が存在しないため単位線である。投影点ｐ６と投影点ｐ７とを端点とする線分は、端点を除いて、線分上に投影点が存在しないため単位線である。投影点ｐ７と投影点ｐ８とを端点とする線分は、端点を除いて、線分上に投影点が存在しないため単位線である。
【００３０】
図１の説明に戻る。非空調単位線情報は、非空調コア部外周判定部１５による処理によって取得される情報であって、非空調単位線を示す情報である。非空調単位線は、所定の条件を満たす線であって、平面図上で非空調コア部の外周の一部と一致する線である。非空調単位線は、例えば、次の３つの条件（以下「非空調単位線条件」という。）を満たす単位線である。非空調単位線条件のひとつは、地上階から最上階までの平面図上の少なくともひとつの平面図上において、単位線一致箇所が非空調の空間に接する部分外周線の一部であるという条件である。単位線一致箇所は、平面図上で単位線と位置が一致する箇所である。非空調単位条件のもうひとつの条件は、地上階から最上階までの全てにおいて単位線一致箇所が、非空調の空間に接する部分外周線の一部と、建築物の外側の空間と、のいずれかであるという条件である。また、非空調単位条件の最後のひとつは、地上階と最上階との単位線一致箇所が非空調の空間に接する部分外周線の一部分である場合、地上階と最上階以外の階の単位線一致箇所は非空調の空間に接する部分外周線の一部である、という条件である。
なお、非空調単位線条件の内容は一例であり、その他の内容の条件であってもよい。例えば、地上階から最上階までの平面図上の少なくともひとつの平面図上において、単位線と位置が一致する箇所が外気の空間である、という条件であってもよい。
【００３１】
図６は、実施形態におけるエリア情報の具体例を示す図である。
エリア情報は、例えば、図６に示すエリア情報テーブルＤ１１０として、記憶部１２に記憶される。エリア情報テーブルＤ１１０は、“エリア名”ごとにレコードをもつ。各レコードは、“エリア名”、“エリア位置情報”及び“空調情報”の各値をもつ。“エリア名”の値は、エリアの名称を表す。“エリア位置情報”の値は、エリアの位置を表す。“エリア位置情報”の値は、平面図上のエリアの位置を示す値と、エリアが位置する階を示す値とによってエリアの位置を表す。平面図上のエリアの位置は、例えば、平面図上でエリアを囲む頂点の位置を表す値によって表されてもよい。図６において、“エリア位置情報”は、“頂点１”、“頂点２”、・・・及び“階情報”をもつ。“頂点１”及び“頂点２”は、エリアを囲む頂点の位置を表す。図６において、頂点の位置は、所定の二次元座標系の座標値で表される。図６において“階情報”は、エリアが位置する階を表す。すなわち、エリアが地上階から最上階までのいずれの階に位置するかを表す。“空調情報”は、エリアが、空調の空間であるか、非空調の空間であるか、建築物の外側の空間であるか、建築物の内側の空間のいずれの空間であるかを表す。“空間情報”は、“空調”、“非空調”、“外”及び“内”を表す値をもつ。“空調”は、エリアが空調の空間であることを表す。“非空調”は、エリアが非空調の空間であることを表す。“外”は、エリアが外周の一部ではなく、建築物の外の空間であることを表す。“内”は、エリアが外周の一部ではなく建築物の内側の空間であることを表す。“空調情報”はエリア空調属性情報の具体例である。
【００３２】
図７は、実施形態における部分外周線情報の具体例を示す図である。
部分外周線情報は、例えば、図７に示す部分外周線情報テーブルＤ１２０として、記憶部１２に記憶される。部分外周線情報テーブルＤ１２０は、“部分外周線名”ごとにレコードをもつ。各レコードは、“部分外周線名”、“開始点”、“終了点”、“階情報”及び“空調情報”の各値をもつ。“部分外周線名”の値は、部分外周線の名称を表す。“開始点”は、部分外周線の一端の位置を表す。“終了点”は、部分外周線の他端の位置を表す。“階情報”は部分外周線が位置する建築物の階を表す。すなわち、部分外周線が地上階から最上階までのいずれの階に位置するかを表す。“空調情報”は、部分外周線が接する空間の空調に関する属性を示す。“非空調”は、部分外周線が接する空間が非空調の空間であることを示す。“空調”は、部分外周線が接する空間が空調の空間であることを示す。
“開始点”及び“終了点”はどちらも、区分点の位置を示す情報の一例である。また、“開始点”、“終了点”及び“階情報”は、部分外周線位置情報の具体例である。部分外周線位置情報は、必ずしも、“開始点”、“終了点”及び“階情報”によって表されなくてもよい。部分外周線位置情報、例えば、“階情報”にくわえて、部分外周線の中心の位置と、部分外周線の長さとによって表されてもよい。“空調情報”は、部分外周線空調属性情報の具体例である。
【００３３】
図８は、実施形態における単位線情報の具体例を示す図である。
単位線情報は、例えば、図８に示す単位線情報テーブルＤ１３０として、記憶部１２に記憶される。単位線情報テーブルＤ１３０は、“単位線名”ごとにレコードをもつ。各レコードは、“単位線名”、“開始点”、“終了点”及び“各階空調情報”の各値をもつ。“単位線名”の値は、単位線の名称を表す。“開始点”は、部分外周線の一端の位置を表す。“終了点”は、部分外周線の他端の位置を表す。“各階空調情報”は、単位線の空調に関する属性を表す。具体的には、“各階空調情報”は、平面図上で単位線に一致する位置が、空調の空間に接する部分外周線の一部と、非空調の空間に接する部分外周線の一部と、建築物の外側の空間と、建築物の内側の空間とのいずれであるかを、建築物の全階（すなわち、地上階から最上階までの階）について表す。“各階空調情報”はレコードごとに建築物の全階の数と同じ数の値をもつ。“各階空調情報”の値は、“空調”、“非空調”、“外”及び“内”を表す値をもつ。“空調”は、平面図上で単位線に一致する位置が、空調の空間に接する部分外周線の一部であることを表す。“非空調”は、平面図上で単位線に一致する位置が、非空調の空間に接する部分外周線の一部であることを表す。“外”は、平面図上で単位線に一致する位置が、建築物の外側の空間であることを表す。“内”は、平面図上で単位線に一致する位置が、建築物の内側の空間であることを表す。すなわち、”外”及び“内”は、外周の一部又は全部ではないことを表す。
“開始点”及び“終了点”は、単位線の位置を示す情報の具体例である。単位線の位置を示す情報は、必ずしも、“開始点”及び“終了点”によって表されなくてもよく、例えば、単位線の中心の位置と、単位線の長さとによって表されてもよい。“各階空調情報”は各階空調属性情報の具体例である。
【００３４】
図１の説明に戻る。情報取得部１３は、設計図情報を取得し、設計図情報に基づいて部分外周線情報を取得する。具体的には、情報取得部１３は、以下の処理を実行することで、部分外周線情報を取得する。情報取得部１３は、エリア情報のエリア位置情報が示すエリアごとに外周があるか否かを判定する。情報取得部１３は、外周があるエリアについて、エリアに接する外周の位置を示す情報を部分外周線位置情報として取得する。次に、情報取得部１３は、選択したエリアの空調情報を部分外周線空調属性情報として取得する。このようにして、情報取得部１３は、部分外周線情報を取得する。
【００３５】
単位線情報取得部１４は、単位線位置情報取得部１４１及び各階空調属性情報取得部１４２を備える。単位線位置情報取得部１４１は、部分外周線位置情報に基づいて、単位線の位置を示す単位線位置情報を取得する。各階空調属性情報取得部１４２は、部分外周線位置情報と、部分外周線空調属性情報と、単位線位置情報とに基づいて、各階空調属性情報を取得する。単位線情報取得部１４は、単位線位置情報取得部１４１及び各階空調属性情報取得部１４２によって単位線情報取得処理を実行することで、単位線情報を取得する。単位線情報取得処理は、単位線情報取得部１４が、単位線情報を取得する処理である。単位線情報取得部１４は、取得した単位線情報を記憶部１２に記録する。
【００３６】
非空調コア部外周判定部１５は、非空調単位線判定処理を実行することで、単位線の空調に関する属性を判定する。単位線の空調に関する属性は、例えば、単位線が非空調単位線であるという特徴である。非空調単位線判定処理は、単位線属性情報に基づいて、単位線の空調に関する属性を判定する処理である。非空調コア部外周判定部１５は、判定結果を示す情報を、非空調単位線情報として記憶部１２に記録する。なお、単位線の空調に関する属性は、必ずしも、単位線が非空調単位線であるという特徴でなくてもよい。例えば、単位線の空調に関する属性は、地上階から最上階までの平面図上の少なくともひとつの平面図上において、単位線一致箇所が建築物の外側の空間である、という特徴であってもよい。また、例えば、単位線の空調に関する属性は、地上階から最上階までの平面図上の少なくともひとつの平面図上において、単位線と位置が一致する箇所が建築物の内側の空間である、という特徴であってもよい。また、例えば、単位線の空調に関する属性は、地上階から最上階までの平面図上の全ての平面図上において、単位線一致箇所が空調の空間に接する部分外周線の一部である、という特徴であってもよい。
【００３７】
非空調コア部外周長算出部１６は、単位線情報及び非空調単位線情報に基づいて非空調コア部の外周の長さを算出する。
【００３８】
表示部１７は、ＣＲＴ（Cathode Ray Tube）ディスプレイや液晶ディスプレイ、有機ＥＬ（Electro-Luminescence）ディスプレイ等の表示装置を含んで構成される。表示部１７は、これらの表示装置を自装置に接続するインタフェースとして構成されてもよい。表示部１７は、表示制御部１８から出力される情報を表示する。
表示制御部１８は、表示部１７における表示を制御する。
【００３９】
図９は、実施形態における単位線情報取得処理の具体的な処理の流れを示すフローチャートである。
単位線情報取得部１４が、部分外周線情報を取得する（ステップＳ１０１）。単位線位置情報取得部１４１は、部分外周線の端点に対応した投影点を取得する（ステップＳ１０２）。端点に対応した投影点とは、端点の投影先の点である。単位線位置情報取得部１４１は、取得した投影点と部分外周線情報とに基づいて、単位線位置情報を取得する（ステップＳ１０３）。具体的には、隣り合う２つの投影点を結ぶ線分の位置を示す情報を取得する。
次に、各階空調属性情報取得部１４２が、エリア情報と、部分外周線情報と単位線位置情報とに基づいて、各階空調属性情報を取得する（ステップＳ１０４）。具体的には、各階空調属性情報取得部１４２は、取得した単位線と平面図上で同一の位置にある部分外周線の部分外周線空調属性情報と、取得した単位線と平面図上で同一の位置にある空間のエリア状態情報と、を、地上階から最上階までの全てにおいて取得する。単位線情報取得部１４は、単位線情報記録処理を実行する（ステップＳ１０５）。単位線情報記録処理は、命名処理と記録処理とを含む。命名処理は、単位線情報取得部１４が、ステップＳ１０５において取得した各単位線に所定の規則によって名称を付し、記憶部１２に記録する処理である。記録処理は、命名処理の実行の後、単位線情報取得部１４が、単位線ごとに、各単位線の位置を示す情報と、ステップＳ１０４において取得した各階空調属性情報とを記憶部１２に記録する処理である。ステップＳ１０５によって記憶部１２に記録された情報が、単位線情報である。ステップＳ１０５の次に、単位線情報取得部１４は、単位線情報取得処理を終了する。
このような処理を実行することで、単位線情報取得部１４は単位線情報を取得する。
【００４０】
図１０は、実施形態における非空調コア部外周判定処理の具体的な処理の流れを示すフローチャートである。
【００４１】
非空調コア部外周判定部１５は、単位線情報を取得する（ステップＳ２０１）。非空調コア部外周判定部１５は、所定の順番で、単位線を選択する（ステップＳ２０２）。非空調コア部外周判定部１５は、ステップＳ２０２において選択した単位線の単位線空間情報に基づいて、単位線が非空調単位線条件を満たすか否かを判定する（ステップＳ２０３）。非空調単位線条件を満たす場合（ステップＳ２０３：ＹＥＳ）、非空調コア部外周判定部１５は、ステップＳ２０２において選択された単位線を非空調単位線であると判定する（ステップＳ２０４）。一方、非空調単位線条件を満たさない場合（ステップＳ２０３：ＮＯ）、非空調コア部外周判定部１５は、ステップＳ２０２において選択された単位線を非空調単位線ではないと判定する（ステップＳ２０５）。非空調コア部外周判定部１５は、ステップＳ２０１で取得した単位線情報が示す全ての単位線をステップＳ２０２において選択したか否かを判定する（ステップＳ２０６）。全ての単位線を選択した場合（ステップＳ２０６：ＹＥＳ）、非空調コア部外周判定部１５は、ステップＳ２０３の判定の結果、非空調単位線であると判定された単位線を記憶部１２に記録する（ステップＳ２０７）。一方、選択していない単位線がある場合（ステップＳ２０６：ＮＯ）、ステップＳ２０２の処理に戻る。
このような処理を実行することで、非空調コア部外周判定部１５は単位線が非空調単位線であるか否かを判定する。
【００４２】
図１１は、実施形態における表示部１７の表示の具体例を示す図である。表示部１７は、建築物の設計図の平面図を表示する。表示部１７は、入力部１１を介してユーザに指定された箇所（図１１における点Ｔ）の空調に関する属性を表示する。図１１において、ユーザが指定した箇所は外周上の点Ｔである。図１１において表示部１７は、点Ｔについて“（１Ｆ、非)、(２Ｆ、空)、(３Ｆ、空)”と表示する。“（１Ｆ、非)、(２Ｆ、空)、(３Ｆ、空)”は、平面図上で点Ｔと同じ座標の箇所は、１階が非空調の空間に接し、２階が空調の空間に接し、３階が空調の空間に接することを示す。
【００４３】
このように構成された判定装置１は、単位線の空調に関する属性の情報を取得し、取得した単位線ごとに非空調単位線であるか否かを判定する。そのため、ユーザは、非空調コア部の外周が、外周のどの箇所であるかを、エリア情報、部分外周線情報及び部分外周線グループ情報を入力するだけで知ることができる。このため、このように構成された判定装置１は、省エネ計算における非空調コア部の外周の長さを用意する作業に要するユーザの労力を軽減することができる。
【００４４】
さらに、このように構成された判定装置１は、記憶部１２が単位線情報を記憶するため、ユーザに指定された箇所の空調に関する属性を表示することができる。そのため、ユーザは、判定装置１の判定結果について、その理由を知ることができる。
【００４５】
なお、情報取得部１３は、設計図情報を必ずしも記憶部１２から取得する必要はない。情報取得部１３は、設計図情報を、例えば、インターネット経由で取得してもよい。情報取得部１３は、設計図情報を、例えば、ＵＳＢ（Universal Serial Bus）やＣＤ−ＲＯＭ(Compact Disc Read only memory）から読み出すことで取得してもよい。
【００４６】
なお、建築物の外側の空間であるのか、建築物の内側の空間であるのか、を示す情報は、必ずしも予め判定装置１に記憶される必要はなく、例えば、非空調コア部外周判定部１５が、非空調単位線判定処理を実行する際に内外判定処理を実行することで取得してもよい。
【００４７】
なお、設計図情報は、設計図のＣＡＤ（Computer-Aided-Design）データと、エリアの空調の属性を示す情報とに基づいて取得される情報であってもよい。設計図のＣＡＤ（Computer-Aided-Design）データと、エリアの空調の属性を示す情報とが判定装置１に入力される場合、例えば、情報取得部１３がＣＡＤデータと、エリアの空調の属性を示す情報とに基づいて、設計図情報を取得してもよい。
【００４８】
なお、部分外周線位置情報は、区分点位置情報の一例である。なお、単位線位置情報取得部１４１は、投影情報取得部の一例である。なお、単位線は、投影部分外周線の一例である。なお、非空調コア部外周判定部１５は、判定部の一例である。なお、部分外周線の投影先の線は、投影外周の一例である。なお、点Ｐ１から点Ｐ８を結ぶ線は、投影外周の一例である。
【００４９】
なお、判定装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００５０】
以上、この発明の実施形態について図面を参照して詳述してきたが、具体的な構成はこの実施形態に限られるものではなく、この発明の要旨を逸脱しない範囲の設計等も含まれる。したがって、本発明の範囲は、特許請求の範囲及びその均等範囲によってのみ規定されるものである。
【符号の説明】
【００５１】
１…判定装置１、  １１…入力部、  １２…記憶部、  １３…情報取得部、  １４…単位線情報取得部、１４１…単位線位置情報取得部、  １４２…各階空調属性情報取得部、  １５…非空調コア部外周判定部、  １６…非空調コア部外周長算出部、  １７…表示部、  １８…表示制御部
【図１】
2019175348.tif 000003
【図２】
2019175348.tif 000004
【図３】
2019175348.tif 000005
【図４】
2019175348.tif 000006
【図５】
2019175348.tif 000007
【図６】
2019175348.tif 000008
【図７】
2019175348.tif 000009
【図８】
2019175348.tif 000010
【図９】
2019175348.tif 000011
【図１０】
2019175348.tif 000012
【図１１】
2019175348.tif 000013
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得部と、
前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得部と、
前記各階の部分外周線の空調に関する属性を示す情報に基づいて、前記投影部分外周線における空調に関する属性を判定する判定部と、
を備える判定装置。
【請求項２】
前記判定部は、前記投影部分外周線の空調に関する属性を示す情報が、地上階から最上階までの前記平面図上の前記投影部分外周線と一致する位置に少なくともひとつの前記部分外周線があり、平面図上における位置が前記投影部分外周線と同じ位置である前記部分外周線の一部に接する前記建築物の空間の全てが非空調の空間であって、かつ、平面図上における位置が前記投影部分外周線と同じ位置の空間のうち、前記部分外周線がない空間の全てが前記建築物の外の空間であることを示す場合に、前記投影部分外周線を非空調コア部の外周の一部であると判定する、
請求項１に記載の判定装置。
【請求項３】
前記投影情報取得部が取得した前記投影部分外周線の位置を示す情報と、前記判定部が非空調コア部の外周の一部であると判定した前記投影部分外周線を示す情報とに基づいて、前記建築物の非空調コア部の外周の長さを算出する非空調コア部外周長算出部、
をさらに備える、
請求項２に記載の判定装置。
【請求項４】
コンピュータが、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得する情報取得ステップと、
コンピュータが、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得する投影情報取得ステップと、
コンピュータが、前記各階の部分外周線の空調に関する属性を示す情報に基づいて、前記投影部分外周線における空調に関する属性を判定する判定ステップと、
を有する判定方法。
【請求項５】
コンピュータに、建築物の地上階から最上階までの平面図における外周を外周の空調に関する属性に応じて１又は複数の部分外周線に区分する区分点の位置を示す区分点位置情報と、前記部分外周線ごとの空調に関する属性を示す情報と、を取得させ、
前記コンピュータに、前記建築物の各階の前記区分点を所定の平面に投影した投影先の投影点の位置と、前記建築物の各階の前記外周を前記所定の平面に投影した線を投影外周として、前記投影点によって区分された前記投影外周の一部である投影部分外周線の位置を示す情報とを取得させ、
前記コンピュータに、前記各階の部分外周線の空調に関する属性を示す情報に基づいて、前記投影部分外周線における空調に関する属性を判定させる、
コンピュータプログラム。